(57)【要約】【課題】在室者の快適性・健康性を保持するための空調制御技術を提供する。【解決手段】空調制御支援装置４０は、屋外入室者を、屋外扉を前回通過した人についてカウントする。次に、空調制御支援装置４０は、カウントした人の中から、入室時刻からの経過時間が有効時間内の人をカウントし、屋外入室者累積人数を算出する。そして、空調制御支援装置４０は、屋外入室者累積人数を在室者人数で除算して屋外入室者割合を算出する。空調制御支援装置４０は、屋外入室者割合が所定値を超えたとき、強制的に所定時間に限って相対温度２０°Ｃ、相対湿度５０％（インフルエンザウイルスが非活化されると言われている温湿度）に空調制御の設定値を設定する。【選択図】図２
2014005993.tif 000002
【特許請求の範囲】
【請求項１】
認証者が通過する際に前記認証者の情報を照合する認証装置が取得した、前記認証者を識別する個人ＩＤと、入室時刻と、前記認証者が前回通行した扉を識別する前回通行扉ＩＤとを関連付けた施設管理情報が記憶される記憶部と、
前記施設管理情報を参照して、前記前回通行扉ＩＤが屋外から建物に入る屋外扉を識別する屋外扉ＩＤに一致し、前記入室時刻からの経過時間が所定値以内となる条件を満足する個人ＩＤを抽出して、その個人ＩＤの認証者を屋外入室者と判定し、
前記屋外入室者を累積して屋外入室者累積人数を算出し、当該屋内入室者が入室した居室の在室者人数を算出し、前記屋外入室者累積人数を前記在室者人数で除算して屋外入室者割合を算出し、
前記屋外入室者割合が所定値を超えたとき、所定の相対温度および相対湿度になるように前記居室の空調制御の設定値を設定する処理部と、
を備えることを特徴とする空調制御支援装置。
【請求項２】
前記処理部は、
前記屋外入室者割合が、その屋外入室者割合が変化する範囲を予め分割して設定した区間のどの区間にあるかを判定し、
判定結果に基づいて、前記区間に対応する空調制御の設定値を設定する
ことを特徴とする請求項１に記載の空調制御支援装置。
【請求項３】
前記処理部は、
前記所定の相対温度および相対湿度を、感染菌が非活化する値に設定する
ことを特徴とする請求項１または請求項２に記載の空調制御支援装置。
【請求項４】
空調制御の設定値を設定する空調制御支援装置は、
認証者が通過する際に前記認証者の情報を照合する認証装置が取得した、前記認証者を識別する個人ＩＤと、入室時刻と、前記認証者が前回通行した扉を識別する前回通行扉ＩＤとを関連付けた施設管理情報が記憶される記憶部と、処理部と、を備え、
前記処理部は、
前記施設管理情報を参照して、前記前回通行扉ＩＤが屋外から建物に入る屋外扉を識別する屋外扉ＩＤに一致し、前記入室時刻からの経過時間が所定値以内となる条件を満足する個人ＩＤを抽出して、その個人ＩＤの認証者を屋外入室者と判定するステップと、
前記屋外入室者を累積して屋外入室者累積人数を算出し、当該屋内入室者が入室した居室の在室者人数を算出し、前記屋外入室者累積人数を前記在室者人数で除算して屋外入室者割合を算出するステップと、
前記屋外入室者割合が所定値を超えたとき、所定の相対温度および相対湿度になるように前記居室の空調制御の設定値を設定するステップと、
を実行することを特徴とする空調制御支援方法。
【請求項５】
前記処理部は、
前記屋外入室者割合が、その屋外入室者割合が変化する範囲を予め分割して設定した区間のどの区間にあるかを判定し、
判定結果に基づいて、前記区間に対応する空調制御の設定値を設定する
ことを特徴とする請求項４に記載の空調制御支援方法。
【請求項６】
前記処理部は、
前記所定の相対温度および相対湿度を、感染菌が非活化する値に設定する
ことを特徴とする請求項４または請求項５に記載の空調制御支援方法。
【請求項７】
請求項４ないし請求項６のいずれか一項に記載の空調制御支援方法を、コンピュータである前記空調制御支援装置に実行させるためのプログラム。
【発明の詳細な説明】
【技術分野】
【０００１】
本発明は、空調制御の技術に関する。
【背景技術】
【０００２】
ビルの設備機器の制御・監視を行う設備機器制御コントローラと、その設備機器制御コントローラから取得したデータに基づいて、ビル設備の監視・制御に必要な処理を一元的に集約し、ユーザによって操作可能な施設管理サーバとで構成されるビル管理システムがある。また、生体認証やＩＤカードによる入退室制御を行う入退室制御コントローラ等と、その入退室制御コントローラから取得したデータに基づいてセキュリティ情報を一元管理し、ユーザによって操作可能な入退室管理サーバとで構成される入退室管理システムがある。ビル管理システムと入退室管理システムとは、それぞれ独立したシステムとして構築されている。
【０００３】
特許文献１では、省エネルギを実現するとともに、空調制御によって快適な環境を得るために、入退室時の認証操作と連動させて、空調や照明等のビル内設備機器を制御する技術が開示されている。つまり、ビル管理システムと入退室管理システムとを併合したようなビル管理システムである。
【０００４】
例えば、居室への入退室履歴情報から当該居室の在室者人数を計算し、在室者人数によって空調や照明機器をＯＮ／ＯＦＦ制御することが記載されている。具体的には、在室人数が０人の場合は空調・照明機器をＯＦＦにし、１人以上となった場合に空調・照明機器をＯＮにすることにより、入室時および退室時に空調・照明機器の電源ＯＮ／ＯＦＦを意識する必要がなくなり、居室に誰もいなくなった際の消し忘れも防止でき、省エネルギを実現できる。また、在室者人数が多い場合には空調の出力を強めにし、在室者人数が少ない場合には空調の出力を弱めにするような制御を行なうことも可能である。
【０００５】
さらに、特許文献１では、居室の在室者人数だけでなく、在室者の特性（暑がりや寒がりといった情報）により、居室の空調機器を制御する方法が開示されている。ビル管理システムには、あらかじめ個人の嗜好や感性等の情報（個人の最適値）を登録しておき、在室者が１人の場合は、当該個人の特性から最適な温度・風量等に設定し、在室者が複数の場合は平均値により制御する方法が記載されている（段落００４４参照）。
【０００６】
特許文献２では、エレベータかご内の空調制御方法として、乗込み人数と乗込み階の情報から、エレベータかご内の空調温度・風量を制御する方法が開示されている。通常、ビル内部では空調設備が正常に働いているため、それまでビル内にいて移動のためエレベータを利用しようとする人はエレベータかごの中での空調の必要性をそれほど感じていないと考えられる。その一方、外部からビル内に入ってきてエレベータを利用する人は、それまで外気温度の環境にいたために、エレベータかごの中でも空調の必要性を強く感じていると考えられることが記載されている（段落００４５参照）。
【０００７】
そこで、特許文献２では、ビル外部からビル内に入った人はロビー階からエレベータを利用すると仮定し、ロビー階からの乗込みがあった場合は空調を強め、それ以外の階から乗込みがあった場合は空調を弱める方法が用いられている。また、単に乗込み階だけで空調の制御方法を決めるのではなく、乗込み人数も制御条件としている。ロビー階から乗込む人がいても、その人数が少ない場合は空調の出力を大きく上げる必要がないため、乗込み人数の増加に対して空調出力を調整するように記載されている（段落００４７参照）。
【先行技術文献】
【特許文献】
【０００８】
【特許文献１】特開平０７−２４３６８６号公報
【特許文献２】特開２００８−２６０６２０号公報
【発明の概要】
【発明が解決しようとする課題】
【０００９】
特許文献１では、入退室履歴情報を利用して在室者人数を計算し、その人数によって空調・照明機器を制御している。しかしながら、在室者人数のみによる空調制御には、次のような問題がある。例えば、在室者人数が多い場合に空調を強める制御を行うこと、または、在室者人数が少ない場合に空調を弱める制御を行うことが、必ずしも快適性や人の健康管理のために有効とは限らない。ビル内在室者（ビル内の部屋に居る人）の中には、屋内で移動を繰返す者もいれば、屋外からの入室者もいる。屋内で移動を繰返す者は、環境が大きく変わらない居室間を移動しているので、空調をさらに強めるという必要性をそれほど感じない。しかし、屋外からの入室者は、外部環境との差が大きいので、空調を強めに設定したいと感じる傾向にある。つまり、特許文献１では、在室者人数に加えて在室者の特性（暑がりや寒がり等の個人の最適値）によって空調出力を制御しているが、屋外からの入室者について考慮してない。
【００１０】
特許文献２では、ビル外部からビル内に入った人はロビー階からエレベータを利用するため、ロビー階からの乗込みがあった場合は空調を強め、それ以外の階から乗込みがあった場合は空調を弱める制御をしている。つまり、ロビー階からの乗込み人数が屋外からの入室者を多く含むとの仮定に基づいている。しかし、実際には、ロビー階からの乗込み人数には、屋内で移動を繰返す人数が相当数含まれると考えられる。そのため、屋外からの入室者を想定した人数が実際の人数より過剰にカウントされ、必要以上の空調出力により無駄なエネルギを消費している虞がある。言い換えると、屋外からの入室者数が精度良く求められていないという問題がある。
【００１１】
また、屋外からの入室者が感染菌（インフルエンザウイルス等）を持ち帰ることに対応する感染症対策として、空調制御を行うことも重要と考えられるが、このような空調制御については未検討である。
【００１２】
そこで、本発明では、屋外からの入室者を精度よく算出し、在室者の快適性・健康性を保持するための空調制御技術を提供することを課題とする。
【課題を解決するための手段】
【００１３】
前記課題を解決するために、本発明の空調制御支援装置は、認証者が通過する際に前記認証者の情報を照合する認証装置が取得した、前記認証者を識別する個人ＩＤと、入室時刻と、前記認証者が前回通行した扉を識別する前回通行扉ＩＤとを関連付けた施設管理情報が記憶される記憶部と、前記施設管理情報を参照して、前記前回通行扉ＩＤが屋外から建物に入る屋外扉を識別する屋外扉ＩＤに一致し、前記入室時刻からの経過時間が所定値以内となる条件を満足する個人ＩＤを抽出して、その個人ＩＤの認証者を屋外入室者と判定し、前記屋外入室者を累積して屋外入室者累積人数を算出し、当該屋内入室者が入室した居室の在室者人数を算出し、前記屋外入室者累積人数を前記在室者人数で除算して屋外入室者割合を算出し、前記屋外入室者割合が所定値を超えたとき、所定の相対温度および相対湿度になるように前記居室の空調制御の設定値を設定する処理部と、を備えることを特徴とする。
【発明の効果】
【００１４】
本発明によれば、屋外からの入室者を精度よく算出し、在室者の快適性・健康性を保持するための空調制御技術を提供することができる。
【図面の簡単な説明】
【００１５】
【図１】ビル管理システムの構成例を示す図である。
【図２】本実施形態における空調制御支援装置とその周辺装置の機能例を示す図である。
【図３】施設情報記憶部および入退情報記憶部に記憶される情報の一例を示す図であり、（ａ）は空調制御情報ＤＢを表し、（ｂ）は事前登録情報ＤＢを表し、（ｃ）は認証時情報ＤＢを表す。
【図４】空調制御支援装置およびその周辺装置における処理フロー例を示す図であり、（ａ）は入退管理サーバと入退制御コントローラによる処理フロー例を表し、（ｂ）は施設管理サーバと施設制御コントローラと空調制御支援装置とによる処理フロー例を表す。
【図５】空調設備の個別パラメータ制御ＤＢの一例を示す図である。
【図６】施設管理情報ＤＢの一例を示す図である。
【図７】認証装置を配置したビルの平面図の一例を示す図である。
【図８】屋外入室者を判定する処理フロー例を示す図である。
【発明を実施するための形態】
【００１６】
次に、本発明を実施するための形態（以降、「本実施形態」と称す。）について、適宜図面を参照しながら詳細に説明する。
【００１７】
本実施形態におけるビル管理システムの構成例について、図１を用いて説明する。
ビル管理システム１００は、施設管理サーバ１０、施設制御コントローラ１１、入退管理サーバ２０、入退制御コントローラ２１および空調制御支援装置４０を備える。施設管理サーバ１０、施設制御コントローラ１１、入退管理サーバ２０、入退制御コントローラ２１および空調制御支援装置４０は、ＬＡＮ（Local Area Network）等のネットワーク３０で接続される。
【００１８】
施設管理サーバ１０は、ビル内の空調機器１１１、給排水機器１１２、電気機器１１３等を不図示のグラフィック画面上にシンボル化して配置し、施設制御コントローラ１１から取得した各機器の状態や計測・計量値等をリアルタイムで表示するとともに施設情報記憶部１０ａに記憶する機能を有する。また、施設管理サーバ１０は、画面上から各機器の操作や設定値変更ができる機能を有する。なお、施設情報記憶部１０ａは、メモリや、ハードディスク、ＳＳＤ（Solid State Drive）等の記録装置である。
【００１９】
施設制御コントローラ１１は、ビル内の空調機器１１１、給排水機器１１２、電気機器１１３等の状態や計測・計量値等を施設管理サーバ１０に送信する機能を有する。また、施設制御コントローラ１１は、施設管理サーバ１０によって操作された設定値等に基づいて各機器を制御する機能を有する。
【００２０】
入退管理サーバ２０は、生体認証装置２１１やカードリーダ２１２を扉等に備えて、入退制御コントローラ２１から取得した入退室の状態を不図示のグラフィック画面上に表示し、入退室情報の履歴を入退情報記憶部２０ａに記憶する機能を有する。また、入退管理サーバ２０は、入退室情報に基づいて、ビル管理システムの空調、照明、電力等を連動させる機能を有する。なお、入退情報記憶部２０ａは、メモリや、ハードディスク、ＳＳＤ等の記録装置である。
【００２１】
入退制御コントローラ２１は、生体認証装置２１１やカードリーダ２１２から取得した認証者の情報を認証し、その認証結果が正しければ、扉を解錠する制御を行う機能を有する。また、入退制御コントローラ２１は、生体認証装置２１１やカードリーダ２１２から取得した情報を、入退管理サーバ２０に送信する機能を有する。
【００２２】
空調制御支援装置４０については、その周辺装置の機能例と合わせて、図２を用いて説明する。ただし、周辺装置の機能については、空気制御支援装置４０に関連する機能のみを説明する。
空調制御支援装置４０は、その周辺機器として、ビル管理システム１００を構成している施設情報記憶部１０ａ、施設制御コントローラ１１、入退情報記憶部２０ａ、入退制御コントローラ２１とネットワーク３０を介して連携して動作する。ただし、空調制御支援装置４０は、施設情報記憶部１０ａに記憶されている情報を取得する際には、施設管理サーバ１０を経由することになるが、その記載は省略している。また、空調制御支援装置４０は、入退情報記憶部２０ａに記憶されている情報を取得する際には、入退管理サーバ２０を経由することになるが、その記載は省略している。
【００２３】
施設制御コントローラ１１は、空調制御部１１ａとして、空気環境を計測するセンサ４６１から計測・計量値を取得して監視する監視部４５１と、監視部４５１の監視結果に基づいて空調機器１１１を制御する機器制御部４５２とを備える。
施設情報記憶部１０ａには、空調制御情報ＤＢ（データベース）１０１が記憶される。空調制御情報ＤＢ１０１には、施設制御コントローラ１１から取得されたセンサ４６１の計測・計量値や、空調機器１１１の状態情報や、居室ごとの在室者人数に関する情報等が施設管理サーバ１０（図１参照）および入退管理サーバ２０（図１参照）によって記憶される。なお、空調制御情報ＤＢ１０１に記憶される項目の具体例については、図３を用いて後記する。
【００２４】
入退制御コントローラ２１は、認証部２１ａと施解錠制御部２１ｂとを備える。認証部２１ａは、扉近辺に設置されている認証装置７０（生体認証装置２１１および／またはカードリーダ２１２）から認証者の情報を取得し、入退情報記憶部２０ａに記憶されている事前登録情報ＤＢ２０１を参照して、その認証者の情報を照合し、認証が成功した場合、施解錠制御部２１ｂに解錠の指示を送信する機能を有する。また、施解錠制御部２１ｂは、解錠の指示を受信した場合、電気錠４６２または自動ドア４６３を解錠する機能を有する。また、入退制御コントローラ２１は、認証時の情報を、入退管理サーバ２０（図１参照）に送信する。
【００２５】
入退情報記憶部２０ａには、事前登録情報ＤＢ２０１と認証時情報ＤＢ２０２とが記憶される。事前登録情報ＤＢ２０１には、認証部２１ａにおいて認証処理を実行するときに参照される認証者の情報が予め記憶される。また、認証時情報ＤＢ２０２には、認証時の情報が記憶される。なお、事前登録情報ＤＢ２０１と認証時情報ＤＢ２０２とに記憶される項目の具体例については、図３を用いて後記する。
【００２６】
次に、空調制御支援装置４０の機能例について、図２を用いて説明する。
空調制御支援装置４０は、処理部４１および記憶部４２を備えている。処理部４１は、図示しないＣＰＵ（Central Processing Unit）およびメインメモリによって構成され、処理部４１の機能は記憶部４２に記憶されているアプリケーションプログラムをメインメモリに展開して、具現化される。なお、図２では、空調制御支援装置４０の通信部（ネットワーク３０に接続する通信インタフェース）の記載は省略している。
【００２７】
処理部４１は、空調制御情報ＤＢ１０１および認証時情報ＤＢ２０２を参照して、屋外入室者（屋外から帰ってきて入室してきた人）を集計し、その集計結果を施設管理情報ＤＢ４２５に記憶する。次に、処理部４１は、屋外入室者数を在室者人数（居室に居る人数）で除算した屋外入室者割合が、所定の閾値を超えるか否かを判定する。そして、処理部４１は、機器制御部４５２を介して、前記所定の閾値の大きさに対応付けられた空調制御を、個別パラメータ制御情報ＤＢ４２４を参照しつつ、実行する。
【００２８】
記憶部４２は、メモリや、ハードディスク、ＳＳＤ等の記録装置である。記憶部４２には、個別パラメータ制御情報ＤＢ４２４および施設管理情報ＤＢ４２５が記憶される。なお、個別パラメータ制御情報ＤＢ４２４および施設管理情報ＤＢ４２５の詳細については、図５，６を用いて後記する。
【００２９】
次に、空調制御情報ＤＢ１０１、事前登録情報ＤＢ２０１および認証時情報ＤＢ２０２について、図３を用いて説明する。
空調制御情報ＤＢ１０１には、図３（ａ）に示すように、居室ごとの在室者人数、空調エリア等が記憶される。
事前登録情報ＤＢ２０１には、図３（ｂ）に示すように、認証者のカード情報、生体情報、個人ＩＤ，名称（個人を識別する名前）、所属部署等が記憶される。
認証時情報ＤＢ２０２には、図３（ｃ）に示すように、認証時の各認証者のカード情報、生体情報、入退室時刻、扉情報、所属部署等が記憶される。
【００３０】
次に、空調制御支援装置４０およびその周辺装置における処理フロー例について、図４を用いて説明する（適宜、図１，２参照）。
図４（ａ）は入退管理サーバ２０と入退制御コントローラ２１による処理フロー例を表し、図４（ｂ）は、施設管理サーバ１０と施設制御コントローラ１１と空調制御支援装置４０とによる処理フロー例を表す。
【００３１】
図４（ａ）に示すように、ステップＳ４０１では、認証部２１ａは、認証装置７０から認証者の情報を取得し、入室認証を行う。
ステップＳ４０２では、認証部２１ａは、当該認証者の通行権限の有効期間を満足するか否かを判定する。有効期間を満足すると判定した場合（ステップＳ４０２でＹｅｓ）、処理はステップＳ４０３へ進み、有効期間を満足しないと判定した場合（ステップＳ４０２でＮｏ）、処理は終了する。
【００３２】
ステップＳ４０３では、認証部２１ａは、通行を許可されたエリアか否かを判定する。通行を許可されたエリアであると判定された場合（ステップＳ４０３でＹｅｓ）、処理はステップＳ４０４へ進み、通行を許可されたエリアでないと判定された場合（ステップＳ４０３でＮｏ）、処理は終了する。
【００３３】
ステップＳ４０４では、認証部２１ａが解錠を指示し、施解錠制御部２１ｂが扉を解錠する。このとき、施解錠制御部２１ｂは、扉のＯＫランプを点灯する、および／または、ＯＫ音を鳴らす。
【００３４】
ステップＳ４０５では、入退管理サーバ２０は、入退制御コントローラ２１から、認証部２１ａの認証結果等を取得し、認証時情報ＤＢ２０２に記憶する（図中では、「ドア制御記録処理」）。そして、処理は終了する。
【００３５】
次に、図４（ｂ）に示すように、ステップＳ４１１では、空調制御支援装置４０は、認証時情報ＤＢ２０２を参照し、認証時情報を取得する。このステップＳ４１１の処理は、ステップＳ４０５の処理が実行された後に行われる。そして、空調制御支援装置４０は、取得した認証時情報（個人ＩＤ，入退室時刻、扉情報、所属部署）と、空調制御情報ＤＢ１０１から取得した在室者人数を、施設管理情報ＤＢ４２５に記憶する。
【００３６】
ステップＳ４１２では、空調制御支援装置４０は、認証者が屋外入室者であるか否かを判定する。認証者が屋外入室者であると判定した場合（ステップＳ４１２でＹｅｓ）、処理はステップＳ４１３へ進み、認証者が屋外入室者でないと判定した場合（ステップＳ４１２でＮｏ）、処理はステップＳ４１４へ進む。
【００３７】
ステップＳ４１３では、空調制御支援装置４０は、屋外入室者割合がどの区間にあるかを判定する。具体的には、空調制御支援装置４０は、屋外入室者数を在室者人数（居室に居る人数）で除算して屋外入室者割合を算出する。そして、空調制御支援装置４０は、屋外入室者割合と個別パラメータ制御情報ＤＢ４２４（図５参照）の屋外入室者割合の区間５０１とを比較して、屋外入室者割合がどの区間にあるかを判定する。
屋外入室者の割合が１０％以上の区間にあると判定した場合（ステップＳ４１３でＹｅｓ）、処理はステップＳ４１５へ進み、屋外入室者の割合が１０％未満の区間にあると判定した場合（ステップＳ４１３でＮｏ）、処理はステップＳ４１４へ進む。
【００３８】
ステップＳ４１４では、施設管理サーバ１０は、予め設定されている標準的なパターンを示すスケジュール制御処理を実行する。そして、処理は終了する。
【００３９】
ステップＳ４１５では、空調制御支援装置４０は、個別パラメータ制御処理を実行する。具体的には、空調制御支援装置４０は、機器制御部４５２（図２参照）を介して、個別パラメータ制御情報ＤＢ４２４（図５参照）の屋外入室者割合の区間５０１に対応付けられた空調制御を実行する。そして、処理は終了する。
【００４０】
ここで、空調制御支援装置４０が実行する個別パラメータ制御処理の具体例について、図５，６を用いて説明する。
図５は、個別パラメータ制御情報ＤＢ４２４の一例を表している。個別パラメータ制御情報ＤＢ４２４は、屋外入室者割合の区間５０１、制御動作５０２、設定温度変更幅５０３、設定風量変更幅５０４、および備考５０５を関連付けた表である。
例えば、屋外入室者割合の区間５０１が「０％以上〜１０％未満」の場合、制御動作は「スケジュール制御」となる。また、屋外入室者割合の区間５０１が１０％以上に示す区間の場合、制御動作は「パラメータ制御Ａ〜Ｋ」となる。そして、屋外入室者割合の区間５０１に対応して、設定温度変更幅５０３や設定風量変更幅５０４が設定されている。
【００４１】
なお、図５中では、屋外入室者割合が５０％を超えたとき、パラメータ制御Ｅが開始される。すなわち、パラメータ制御Ｅでは、屋外入室者割合が５０％を超えた時点で、屋外から感染菌を持ち帰ることを防ぐ感染症対策の一環として、所定時間のみ設定され、強制的に相対温度２０°Ｃ、相対湿度５０％（インフルエンザウイルスが非活化されると言われている温湿度）に設定値が設定される。
【００４２】
また、図６は、施設管理情報ＤＢ４２５の一例を表している。施設管理情報ＤＢ４２５は、個人ＩＤ、在室者人数、屋外入室者累積人数、屋外入室者割合、入室時刻、今回通行扉ＩＤ、前回通行扉ＩＤ、所属部署および制御動作を関連付けた表である。
個人ＩＤは、認証者を識別する識別情報である。
在室者人数は、空調制御の対象としている居室にいる人の数である。
屋外入室者累積人数および屋外入室者割合については後記する。
入室時刻は、認証者が入室するために認証装置７０において認証を行った時刻である。
今回通行扉ＩＤは、居室に入るために今回通行した扉を識別する識別情報である。
前回通行扉ＩＤは、認証者が前回通行した扉を識別する識別情報である。
所属部署は、認証者の所属部署名である。
制御動作は、空調制御の方法を示したものである。
【００４３】
ここで、図７に示すビルの平面図を用いて、認証者の動きと関連付けて、空調制御支援装置４０が実行する個別パラメータ制御処理について説明する（適宜、図２参照）。
認証者は、ビルの外（屋外）から屋外扉「屋外扉ＩＤ：ａ」（またはゲート）を通過するとき、または居室に屋内扉「屋内扉ＩＤ：ｂ，ｃ，ｄ，ｅ，ｆ」を通過して入るとき、認証装置７０によって認証照合を行う。その認証照合の際に、認証部２１ａは、個人ＩＤ、居室エリア（空調エリア）、所属部署等の個人情報を取得し、入室時刻や通行扉ＩＤとともに、認証時情報ＤＢ２０２に書き込む。そして、空調制御支援装置４０は、認証時情報ＤＢ２０２から、個人ＩＤ、居室エリア（空調エリア）、所属部署、入室時刻、通行扉ＩＤを取得し、施設管理情報ＤＢ４２５に書き込む。
【００４４】
次に、空調制御支援装置４０は、在室者人数、屋外入室者累積人数、屋外入室者割合を算出する。図６は、屋外扉ＩＤがａであり、居室エリアに入る屋内扉ＩＤがｂであるケースについて例示している。屋外入室者については、施設管理情報ＤＢ４２５を参照して、前回通行扉ＩＤがａの場合について検索すれば良い。そして、空調制御支援装置４０の処理部４１は、前回通行扉ＩＤがａの場合について検索し、屋外入室者の累積人数を算出する。ただし、屋外入室者と判定した情報には有効時間を設定しておき、空調制御支援装置４０は、入室時刻から有効時間を経過した場合には、屋外入室者累積人数にカウントしないようにする。このことにより、屋外入室者と想定した人数が、実際の人数よりも過剰にカウントされ、必要以上の空調出力による無駄なエネルギの消費を防ぐことができる。
【００４５】
屋外入室者を判定する処理フロー例について、図８を用いて説明する。
ステップＳ８０１では、空調制御支援装置４０の処理部４１は、施設管理情報ＤＢ４２５を参照して、前回通行扉ＩＤが屋外扉ＩＤの個人ＩＤを抽出する。
ステップＳ８０２では、処理部４１は、ステップＳ８０１の処理で抽出された個人ＩＤの中から、さらに、入室時刻からの経過時間が有効時間内の個人ＩＤを抽出する。
ステップＳ８０３では、処理部４１は、抽出した個人ＩＤの認証者を、屋外入室者と判定する。
ただし、ステップＳ８０１とステップＳ８０２とは、順番が逆であっても構わない。
【００４６】
以上説明したように、本実施形態における空調制御支援装置４０は、屋外入室者を、屋外扉を前回通過した人についてカウントする。次に、空調制御支援装置４０は、カウントした人の中から、入室時刻からの経過時間が有効時間内の人をカウントし、屋外入室者累積人数を算出する。このことにより、屋外入室者と想定した人数が、実際の人数よりも過剰にカウントされ、必要以上の空調出力による無駄なエネルギの消費を防ぐことができる。
【００４７】
そして、空調制御支援装置４０は、屋外入室者累積人数を在室者人数で除算して屋外入室者割合を算出する。空調制御支援装置４０は、屋外入室者割合が所定値（本実施形態では５０％）を超えたとき、強制的に所定時間に限って相対温度２０°Ｃ、相対湿度５０％（インフルエンザウイルスが非活化されると言われている温湿度）に空調制御の設定値を設定する。このことにより、屋外から感染菌を持ち帰ることを防ぐ感染症対策を実施することができる。すなわち、屋外からの入室者を精度よく算出し、在室者の快適性・健康性を保持するための空調制御技術を提供することができる。
【００４８】
また、本実施形態では、個別パラメータ制御情報ＤＢ４２４（図５参照）に示すように、屋外入室者割合が所定値未満（所定値とは本実施形態では１０％）の場合には、施設管理サーバ１０によるスケジュール制御が実行され、屋外入室者割合５０１が当該所定値以上の場合には、空調制御支援装置４０による個別パラメータ制御が実行される。
【００４９】
なお、本実施形態では、個別パラメータ制御情報ＤＢ４２４（図５参照）に示すように、屋外入室者割合が５０％を超えた場合に、強制的に相対温度２０°Ｃ、相対湿度５０％（インフルエンザウイルスが非活化されると言われている温湿度）に設定するように説明したが、これに限られず、５０％以外であっても構わない。また、５０％の一箇所だけでなく、複数の屋外入室者割合に対して設定されても構わない。
【００５０】
また、本実施形態では、空調制御支援装置４０を施設管理サーバ１０および入退管理サーバ２０とは独立した装置であるように記載したが、施設管理サーバ１０または入退管理サーバ２０に内蔵されても構わない。
【００５１】
また、空調制御支援装置４０は、施設情報記憶部１０ａ（図２参照）や入退情報記憶部２０ａ（図２参照）を自身の記憶部４２に備えても構わない。
【００５２】
なお、本発明は上記した実施形態に限定されるものではなく、様々な変形例が含まれる。例えば、上記した実施形態は、本発明を分かりやすく説明するために詳細に説明したものであり、必ずしも、説明したすべての構成を備えるものに限定されるものではない。また、ある実施形態の構成の一部を他の実施形態の構成に置き換えることが可能であり、ある実施形態の構成に他の実施形態の構成を加えることも可能である。また、各実施形態の構成の一部について、他の構成の追加・削除・置換をすることが可能である。
また、上記の各構成、機能、処理部等は、それらの一部または全部を、例えば、集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ等の記録装置、またはＩＣ（Integrated Circuit）カード、ＳＤカード、ＤＶＤ（Digital Versatile Disc）等の記録媒体に置くことができる。
また、制御線や情報線は説明上必要と考えられるものを示しており、製品上必ずしもすべての制御線や情報線を示しているとは限らない。実際には、ほとんどすべての構成が相互に接続されていると考えてもよい。
【符号の説明】
【００５３】
１０  施設管理サーバ
１０ａ  施設情報記憶部
１１  施設制御コントローラ
２０  入退管理サーバ
２０ａ  入退情報記憶部
２１  入退制御コントローラ
２１ａ  認証部
２１ｂ  施解錠制御部
４０  空調制御支援装置
４１  処理部
４２  記憶部
７０  認証装置
１００  ビル管理システム
１０１  空調制御情報ＤＢ
１１１  空調機器
２０２  認証時情報ＤＢ
４２４  個別パラメータ制御情報ＤＢ
４２５  施設管理情報ＤＢ
【図１】
2014005993.tif 000003
【図２】
2014005993.tif 000004
【図３】
2014005993.tif 000005
【図４】
2014005993.tif 000006
【図５】
2014005993.tif 000007
【図６】
2014005993.tif 000008
【図７】
2014005993.tif 000009
【図８】
2014005993.tif 000010